(57)【要約】      （修正有）【課題】特に横掛け陳列しか出来ない既存什器や一部商品しか見えない既存什器を２〜３段陳列や商品全体が見えるフェースアウト陳列を可能とし、商品を見易くして、購買意欲喚起により販売促進を図るようにしたフェースアウト陳列補助具を提供する。【解決手段】フェースアウト陳列補助具４は、既存什器に汎用的に装着できる支持体５と、支持体５に係止され商品を陳列支持する係止体６と、支持体５と係止体６を係止するストッパ３とから構成されており、多数商品を見易くして陳列することができる。支持体５は、既存什器の上梁と下梁とに固定される後支持柱５１と、後支持柱５１の前方に後支持柱に平行に立設された前支持柱５２と、後支持柱５１と前支持柱５２との相互の下部を連結する下桟５３と、下桟５３と所定間隔を開けて上方の後支持柱５１と前支持柱５２の相互を連結する上桟５４とから構成される。【選択図】図１７
0003141413.tif 000002
【実用新案登録請求の範囲】
【請求項１】
既存什器に汎用的に装着できる支持体と、
該支持体に係止され商品を陳列支持する係止体と、
該支持体に係止体の高さを自由に設定して係止するストッパとから構成され、
既存什器に装着することより多数商品を見易く展示陳列することにより需要を喚起できる、
ことを特徴とするフェースアウト陳列補助具。
【請求項２】
支持体は、
既存什器の上梁と下梁とに固定される後支持柱と、
該後支持柱の前方に後支持柱に平行に立設された前支持柱と、
該後支持柱と前支持柱との相互の下部を連結する下桟と、
該下桟と所定間隔を開けて上方の後支持柱と前支持柱の相互を連結する上桟と、
から構成されている、
ことを特徴とする請求項１記載のフェースアウト陳列補助具。
【請求項３】
係止体は、
前面の中央に縦配列された多数の係止孔が所定間隔で開設されており、後支持柱と前支持柱に夫々着脱自在に挿入係止される係止柱と、
該係止柱の上部の前面に溶接等の接合手段により水平方向に一体に突設形成されたフックと、から構成されている、
ことを特徴とする請求項１記載のフェースアウト陳列補助具。
【請求項４】
ストッパは、
前記係止柱の外側に装着可能な枠形状の枠体と、
該枠体の短辺中央から内方に突設されて、係止柱の前面中央に所定間隔で縦配列されて開設された多数の係止孔に係合係止されるストッパ片とから構成されており、
前記係止柱を前記後支持柱や前支持柱の夫々の上端に係止させることで前記係止体の高さを自由に設定することができ、
各係止体のフックに商品を掛けた衣料用ハンガーを係止できる状態にすることが出来る、
ことを特徴とする請求項１記載のフェースアウト陳列補助具。
【請求項５】
前記後支持柱の背面の上下には、既存什器に支持体を取付ねじにより汎用的に装着するための上取付体と下取付体とが設けられている、
ことを特徴とする請求項２記載のフェースアウト陳列補助具。
【考案の詳細な説明】
【技術分野】
【０００１】  本考案は、フェースアウト陳列補助具に関し、特に横掛け陳列しか出来ない既存什器や一部商品しか見えない既存什器を２〜３段陳列や商品全体が見えるフェースアウト陳列を可能とし、商品を見易くして、購買意欲喚起により販売促進を図ることができるようにしたフェースアウト陳列補助具に関するものである。
【背景技術】
【０００２】  従来使用されていた既存什器は、大量に陳列して安さをアピールするために使用されていたもので、横掛け陳列しか出来ないことから、価値をアピールし、需要を喚起して、販売の促進を図る時代対応の売場作りの大きな障害となっていた（図１８）。【０００３】  また、従来使用されていた既存什器は、一部商品しか見えないものである為、商品が見難く、購買意欲喚起することができず、商品価値をアピールし、商品のコーデネート陳列が求められる時代に対応した売場作りの大きな障害となっていた（図１９）。
【考案の開示】
【考案が解決しようとする課題】
【０００４】  このような従来技術の問題点に鑑み、本考案の主な目的は、
消費の変化に対応できない既存什器を、２〜３段陳列や商品全体が見えるフェースアウト陳列を可能とし、商品を見易くして、商品価値を高め、購買意欲喚起により販売促進を図ることができる、既存の既存什器に追加的に使用可能なフェースアウト陳列補助具を提供することにある。
【課題を解決するための手段】
【０００５】  このような目的は、本考案によれば、
既存什器に汎用的に装着できる支持体５と、
該支持体５に係止され商品を陳列支持する係止体６と、
該支持体５に係止体６の高さを自由に設定して係止するストッパ３とから構成され、
既存什器に装着することより多数商品を見易く展示陳列することにより需要を喚起できる、
ことを特徴とするフェースアウト陳列補助具、
を提供することにより達成される。
【考案の効果】
【０００６】  このように、本考案によれば、
陳列効果の悪くなった既存什器を最小のコストで時代に対応した最大価値を高める陳列什器に変更して従来の問題点を解決することができる（図１６、図１７）。【０００７】  すなわち、
（１）既存の既存什器に追加的に使用することで、２〜３段陳列や商品全体が見えるフェースアウト陳列を可能とし、商品を見易くして、商品価値を高め、購買意欲喚起により販売促進を図ることができるという効果がある。
（２）さらに、多数の商品を什器や商品に邪魔されることなく商品全体が見えるように、簡単かつ確実に陳列できるという効果がある。
（３）また、衣料品等の商品を簡単かつ確実に支持することができ、陳列作業を迅速に行うことができるので、従来の陳列作業が煩雑であるという問題点を解消することができ、商品の陳列に当たり、陳列作業が容易になるという効果がある。
（４）さらに、多数の商品の前面を見易く陳列することにより購買者に見易くでき、商品主体の陳列ができるので需要を喚起でき、販売促進効果を向上でき、本来機能を充分発揮でき、商品よりも什器が目立ち過ぎるという従来の問題点を解消できるという効果がある。
（５）また、陳列商品に合わせて前後左右の相互間隔を調整できるから、陳列商品に最適な陳列配置とすることができ、多数商品を購買者に見易くして陳列できるので、販売促進効果を向上でき、本来の機能を充分発揮できるという効果がある。
（６）さらに、商品に合わせて前後方向に２段、３段と、多段配列でき、また左右にも複数配列でき、相互配置を調整できるから、最適な陳列配置ができ、多数商品を購買者に見易く、しかも取外し易く陳列でき、販売促進効果を向上でき、本来の機能を充分発揮できるという効果がある。
（７）また、多数商品を円滑に支持できるので、多数商品の陳列にあっても容易に作業ができ、従来の陳列作業に時間がかかるという問題点を解消できるという効果がある。
（８）また、多数商品を出入れ可能に重ねて陳列でき、従来の什器が邪魔するので後側の商品を取出し難いという問題点を解消できるという効果がある。
（９）さらに、商品に応じて好適な陳列配置が出来る他、これ以外の一般的な商品に同要領にて使用できる為、汎用的に幅広く使用できるという極めて大なる効果がある。
【考案を実施するための最良の形態】
【０００８】  次に、本考案を添付の図面を参照して、特定の実施の形態について詳述する。【０００９】  本考案のフェースアウト陳列補助具は、
既存什器に汎用的に装着できる支持体と、
該支持体に係止され商品を陳列支持する係止体と、
該支持体に係止体の高さを自由に設定して係止するストッパと、から構成され、
既存什器に装着することより多数商品の前面を見易く展示陳列することにより、
商品の陳列作業が簡単かつ確実になり、該作業を迅速に行うことができると共に、
需要を喚起して販売促進効果を向上させることができ、
従来の問題点の解消を図り使用勝手を飛躍的に向上させた優れたものとなる。
【実施例１】
【００１０】  図１〜図１７は、本考案に基づくフェースアウト陳列補助具の実施の形態の第一実施例を示している。【００１１】  以下に添付の図面を参照して、本考案を特定の実施例について詳述する。【００１２】  図１〜図１７は、本考案の一実施例を示し、
本考案のフェースアウト陳列補助具４は、既存什器２に汎用的に使用することができ、多数の商品Ｇを前後左右に多層的に陳列できるものである。【００１３】  該既存什器２は、例えば、図１８、図１９に良く示されているように、次のようなものがあり、
所定間隔を開けて平行に配設され床面等に配置される基台２１、２１と、
該基台２１、２１に立設されると共に、相互に平行に配設された支柱２２、２２と、
該支柱２２、２２の相互の上部を連結する上梁２３と、
該支柱２２、２２の相互の下部を連結すると共に、上梁２３に平行に配設された下梁２４と、から構成され、矩形の枠体に形成されており、
既存のものをそのまま利用して使用することができるので、新たに製作したり購入したりする必要はない。【００１４】  この既存什器２に汎用的に使用することで商品Ｇを陳列して展示することができるフェースアウト陳列補助具４は、図１５〜図１７に良く示されているように、
既存什器に汎用的に装着できる支持体５と、
該支持体５に係止され商品を陳列支持する係止体６と、
該支持体５に係止体６の高さを自由に設定して係止するストッパ３と、
から構成されており、多数の商品Ｇを陳列することができる。【００１５】  また、前記フェースアウト陳列補助具４を構成する支持体５は、
図１〜図１７に良く示されているように、
前記既存什器２の上梁２３と下梁２４に固定される後支持柱５１と、
該後支持柱５１の前方に後支持柱５１に平行に立設された前支持柱５２と、
該後支持柱５１と前支持柱５２との相互の下部を連結する下桟５３と、
該下桟５３と所定間隔を開けて該下桟５３より上方の後支持柱５１と前支持柱５２の相互を連結する上桟５４と、
該後支持柱５１の背面の上下に固定された上取付体５５と下取付体５６と、
から構成されている。【００１６】  この後支持柱５１と前支持柱５２は、図１〜図１７に良く示されているように、
矩形の中空筒材から形成されている。【００１７】  また、前記下桟５３と上桟５４は、図１〜図２に良く示されているように、
矩形の中空筒材から形成されると共に、上下に所定間隔を開けて配設され、後支持柱５１と前支持柱５２の下部相互を溶接等の接合手段により固定して枠状に連結している。【００１８】  さらに、前記上取付体５５は、図１〜図１２に良く示されているように、
上端が半円状に形成されると共に下端がＬ字状に形成され、後支持柱５１の上部背面に溶接等により固定される取付片５７と、
該取付片５７の下辺に上向きにねじ止された取付ねじ５８と、から構成されており、
取付片５７の上辺５７ａと取付ねじ５８の先端（上端）との間に、前記既存什器２の上梁２３を配設して、該取付ねじ５８にて締結する（図９、図１０）。【００１９】  また、前記下取付体５６は、図１〜図１２に良く示されているように、
逆Ｕ字状に形成され、後支持柱５１の下端背面に溶接等により固定される取付片５９と、
該取付片５９の外側に横向きにねじ止された取付ねじ５８と、から構成されており、
取付片５９の内辺５９ａと取付ねじ５８の先端との間に、前記既存什器２の下梁２４を配設して、取付ねじ５８にて締結する（図１１、図１２）。【００２０】  上記既存什器２にフェースアウト陳列補助具４を装着するには、
図１８、図１９に良く示されているように、
既存什器２に目的に応じて所定数（本実施例にあっては３個）の支持体５を固定することによって行い、
既存什器２の上下方向に所定間隔を開けて固定されている前記既存什器２の上梁２３と下梁２４に、支持体５を構成する後支持柱５１を３個左右方向に所定間隔を開けて、または正面と背面に背中合せにて、夫々装着固定することができる（図９〜図１２及び図１８、図１９）。【００２１】  この既存什器２の上梁２３と下梁２４に３個の後支持柱５１を装着固定するのは、
図１８、図１９に良く示されているように、
上梁２３と下梁２４に３個の後支持柱５１を上取付体５５と下取付体５６の取付ねじ５８にて上梁２３と下梁２４に夫々ねじ締結することによって行い、
複数のフェースアウト陳列補助具４を既存什器２に所定間隔を開けて、または正面と背面に背中合せにて、夫々装着固定することができる（図９〜図１２及び図１８、図１９）。【００２２】  尚、これら既存什器２の上梁２３と下梁２４に後支持柱５１を装着固定するのは、
上記実施例のねじ締結に限られることなく、溶接等により固定するものであっても良いのは勿論である。【００２３】  一方、前記フェースアウト陳列補助具４を構成する係止体６は、
図１〜図６と図１７に良く示されているように、
前記並行配列された後支持柱５１と前支持柱５２に夫々着脱自在に係止される係止柱６１と、該係止柱６１の上端の前面に溶接等の接合手段により一体に水平方向に突設形成されたフック６２と、から構成されている。【００２４】  この係止柱６１は、図１〜図６と図１７に良く示されているように、
前面６１ａの中央に縦配列された多数の矩形スリット状の係止孔６３、６３、……が、所定間隔で開設されている。【００２５】  さらに、この係止柱６１は、図１〜図６、及び図１５〜図１７図、に良く示されているように、
前記並行配列された後支持柱５１と前支持柱５２に夫々着脱自在に挿入されると共に、
ストッパ３を前記縦配列された多数の矩形スリット状の係止孔６３、６３、……の何れかに着脱自在に係止することによって、高さを自由に設定すると共に、該後支持柱５１と前支持柱５２に夫々係止固定されている。【００２６】  また、上記フック６２は、図１〜図５、図１３〜図１４図、及び図１７に良く示されているように、
断面楕円形の丸棒からなり、係止柱６１の上端前面に水平方向に突設形成されており、
先端には、ハンガーの脱落を阻止するための係止部６４が突設されている。【００２７】  さらに、前記ストッパ３は、図１５〜図１７に良く示されているように、
係止体６を構成する係止柱６１の外側に装着可能な矩形状の枠体３１と、
該枠体３１の短辺中央から内方に突設されていると共に、前記矩形スリット状の係止孔６３に係合係止可能なストッパ片３２とからなり、
該ストッパ片３２を該多数の係止孔６３、６３、……のうち、適切な高さにすることができる係止孔６３に係合させることにより、
前記係止柱６１を前記後支持柱５１と前支持柱５２の上端に係止させることができ、
これによって後支持柱５１と前支持柱５２に各係止柱６１を挿入係止させることで、
前記係止体６の高さを自由に設定することができ、
各係止体６のフック６２に、商品Ｇを掛けた衣料用ハンガーを係止できる状態にすることが出来る。【００２８】  このようにして、フェースアウト陳列補助具４に多数の衣料用ハンガーを係止することで、前後左右に段差を設けて、商品Ｇの前面を見易くして、購買意欲喚起により販売促進を図ることができるようにして、多数の商品Ｇを陳列することができる。【００２９】  このような本考案によれば、図１８と図１９に良く示されているように、
フェースアウト陳列補助具４を構成する係止体６の水平方向に横設形成されたフック６２にて多数の商品Ｇをハンガーを介する等して簡単かつ確実に陳列することができ、陳列作業を迅速に行うことができると共に、
前後に２段配設されているフック６２にて多数の商品Ｇの前面を見易く展示陳列することにより購買者の需要を喚起でき、販売促進効果を向上できるので、
従来技術の問題点の解消を図り、使用勝手を飛躍的に向上させた優れたものとなる。【００３０】  尚、本考案は、上記実施例の構成に限られることなく、上記実施例の構成に追加することや、他の構成で置換する等することができ、種々の変形例が考えられ、材質や形状或いは構成等を変えた他の実施例とすることができるのは勿論である。【００３１】  次に、本考案の使用方法を上記実施の形態の第１例のフェースアウト陳列補助具４によって詳述する。【００３２】  本考案のフェースアウト陳列補助具４にあっては、
前後左右に多数配設された複数のフック６２にて多数の商品Ｇをハンガーを介する等して簡単かつ確実に陳列でき、陳列作業を迅速に行うことができると共に、前後に多段配設されているフックにて多数の商品Ｇの前面を見易くして展示陳列することにより、陳列する商品主体の陳列をできるので、需要を喚起して販売促進効果を向上させることができ、従来の係止具が商品よりも目立ち過ぎることや陳列が乱雑となり易いことや陳列作業が煩雑であるといった問題点を解消することができるのである。【００３３】  すなわち、図１〜図１９に良く示されているように、
（１）まず、既存什器２に本考案フェースアウト陳列補助具４を装着固定する（図１８と図１９）。
（２）このフェースアウト陳列補助具４の装着は、既存什器２に目的に応じて所定数（本実施例にあっては、３個）の支持体５を固定することによって行い、既存什器２に設けられた上梁２３と下梁２４に支持体５を装着固定するのは、
図７〜図１２に良く示されているように、
該上梁２３と下梁２４に後支持柱５１の背面の上下に固定された上取付体５５と下取付体５６を、取付ねじ５８にて締結するすることによって行い、
複数のフェースアウト陳列補助具４を既存什器２に所定間隔を開けて、または正面と背面に背中合せにて、夫々装着固定することができる（図９〜図１２及び図１８、図１９）。
（３）次に、上記各支持体５に各係止体６を挿入係止させる（図１〜図７及び図１７）。
この係止体６の挿入係止は、各支持体５の後支持柱５１と前支持柱５２とに、係止柱６１を挿入すると共に、ストッパ３の枠体３１を係止柱６１の外側に嵌合すると共に、該ストッパ３のストッパ片３２を前記縦配列された多数の矩形スリット状の係止孔６３、６３、……の何れかに着脱自在に係合して係止することによって行い、該後支持柱５１と前支持柱５２の上端に夫々係止固定する（図１〜図７及び図１５〜図１７）。
（４）このストッパ３による係止は、ストッパ片３２を矩形スリット状の係止孔６３、６３、……のうち、適切な係止孔６３に係合させることにより、前記係止柱６１の高さを自由に設定して、前記後支持柱５１と前支持柱５２の上端に係止固定させることができる。
（５）このように、後支持柱５１と前支持柱５２に各係止柱６１を挿入係止させることで、各係止体６のフック６２に、商品Ｇを掛けた衣料用ハンガーを係止できる状態にすることが出来る（図１７〜図１９）。
（６）このように、各支持体５に各係止体６を挿入係止させることで、各係止体６のフック６２に、商品Ｇを掛けた衣料用ハンガーを係止できる状態にすることが出来、多数商品を陳列する際に、多数商品の前面を見易くして展示陳列することが可能となり、陳列商品主体の陳列ができるので、需要を喚起して販売促進効果を向上できるように、後支持柱５１に係止する係止柱６１が、前支持柱５２に係止する係止柱６１よりも高さが高くなって前後に段差ができるようにして行う（図１７〜図１９）。
（７）次に、この複数のフック６２に多数の衣料用ハンガーを係止して、フック６２の先端に夫々立設されている係止部６４によって、ハンガーの脱落を阻止することができる（図１〜図５及び図１８、図１９）。
（８）このようにして、フェースアウト陳列補助具４に多数の衣料用ハンガーを係止することで、前後左右に段差を設けて多数の商品を陳列して陳列することができる（図１７〜図１９）。【００３４】  このように、本考案のフェースアウト陳列補助具４によれば、前後に段違いに配設された複数のフック６２にて多数商品を簡単かつ確実に陳列でき、陳列作業を迅速に行うことができると共に、多数商品の前面を見易くして展示陳列することにより、陳列する商品主体の陳列できるので、需要を喚起して販売促進効果を向上でき、従来技術の問題点の解消を図り、使用勝手を飛躍的に向上できるものである（図１７〜図１９）。【００３５】  尚、本考案のフェースアウト陳列補助具４は、上記実施例の構成に限られることなく、上記実施例の構成に追加することや、他の構成で置換することができるのは勿論であり、例えば、次のようなものがある。【００３６】（１）既存什器２に本考案のフェースアウト陳列補助具４を装着させるのは、上記実施例の上梁２３と下梁２４に後支持柱５１をねじ締結することによって行うもの限られることなく、溶接等により固定するものであっても良いのは勿論である。
（２）支持体５の支持住の数は、上記実施例の後支持柱５１と前支持柱５２とからなる２個に限られることなく、３個以上とするものであっても良いのは勿論であり、前後に段差を設けて装着させることにより、目的に応じて陳列して陳列するアンダーウェア等の多数の商品Ｇの数を増加させることができる利点がある。
【図面の簡単な説明】
【００３７】
【図１】本考案の実施の形態の一実施例を示すフェースアウト陳列補助具の背面図である。
【図２】同正面図である。
【図３】同右側面図である。
【図４】同左側面図である。
【図５】同要部の斜視図である。
【図６】図３のＣ−Ｃ断面図である。
【図７】図２のＡ−Ａ断面図である。
【図８】図２のＢ−Ｂ断面図である。
【図９】図４のＤ−Ｄ断面図である。
【図１０】図４の異なる実施例のＤ−Ｄ断面図である。
【図１１】図４のＥ−Ｅ断面図である。
【図１２】図４の異なる実施例のＥ−Ｅ断面図である。
【図１３】同平面図である。
【図１４】同底面図である。
【図１５】同フェースアウト陳列補助具を構成するストッパの正面図である。
【図１６】同ストッパの正面断面図である。
【図１７】同フェースアウト陳列補助具の斜視図である。
【図１８】同フェースアウト陳列補助具の既存什器装着の一例を示す斜視図である。
【図１９】同異なる例を示す斜視図である。
【図２０】従来例の陳列什器（既存什器）の一例を示す斜視図である。
【図２１】従来例の陳列什器（既存什器）の異なる例を示す斜視図である。
【符号の説明】
【００３８】１      什器
２      既存什器
３      ストッパ
４      フェースアウト陳列補助具
５      支持体
６      係止体
２１    基台
２２    支柱
２３    上梁
２４    下梁
３１    枠体
３２    ストッパ片
５１    後支持柱
５２    前支持柱
５３    下桟
５４    上桟
５５    上取付体
５６    下取付片
５７    取付片
５７ａ  取付片の上辺
５８    取付ねじ
５９    取付片
５９ａ  取付片の内辺
６１    係止柱
６２    フック
６３    係止孔
６４    係止部
Ｇ      商品
【図１】
0003141413.tif 000003
【図２】
0003141413.tif 000004
【図３】
0003141413.tif 000005
【図４】
0003141413.tif 000006
【図５】
0003141413.tif 000007
【図６】
0003141413.tif 000008
【図７】
0003141413.tif 000009
【図８】
0003141413.tif 000010
【図９】
0003141413.tif 000011
【図１０】
0003141413.tif 000012
【図１１】
0003141413.tif 000013
【図１２】
0003141413.tif 000014
【図１３】
0003141413.tif 000015
【図１４】
0003141413.tif 000016
【図１５】
0003141413.tif 000017
【図１６】
0003141413.tif 000018
【図１７】
0003141413.tif 000019
【図１８】
0003141413.tif 000020
【図２０】
0003141413.tif 000021
【図１９】
0003141413.tif 000022
【図２１】
0003141413.tif 000023